(57)【要約】【課題】  身体の不自由な病人を入浴させる時に、介護人の労力の負担を軽減し、家庭、病院、養護施設等に設置された浴槽に、介護人が一人であっても容易に入浴させることができると共に、構成も簡単でかつ病人に恐怖心や不安感を抱かせることがなく、安心して入浴させることができる介護用浴槽とする。【解決手段】  浴槽１内に四本のガイド支柱を立設すると共に、可動枠台２の四隅をガイド支柱６に挿通し、昇降駆動手段により、可動枠台２をガイド支柱６に沿って浴槽１内を昇降可能とする。可動枠台２の洗い場３側に固定枠台４を設け、可動枠台２と固定枠台４間に座椅子５を往復移動可能に設ける。【選択図】  図２
2005143889.tif 000002
【特許請求の範囲】
【請求項１】
浴槽に昇降駆動手段により昇降する可動枠台が設けられると共に、この可動枠台の洗い場側に可動枠台と連絡する固定枠台が設けられ、可動枠台と固定枠台間を座椅子が往復移動可能に設けられていることを特徴とする介護用浴槽。
【請求項２】
昇降駆動手段は、可動枠台の四隅に挿通され、可動枠台が摺動自在に昇降する浴槽内に立設されたガイド支柱と、浴槽外に設けた駆動ドラムと、この駆動ドラムに並列し互いに反対方向に巻着された一対のロープと、可動枠台の一方の側部側で浴槽の上方に設置された上部ガイド車と、この上部ガイド車と同じ側で浴槽の下方に設置された下部ガイド車を備え、前記一方のロープの先端部は、上部ガイド車及び下部ガイド車から可動枠台の上面側に掛け渡されて可動枠台の他方の側部側で浴槽の下方に固定され、他方のロープの先端部は、上部ガイド車から可動枠台の下面側に掛け渡されて可動枠台の他方の側部側で浴槽の上方に固定され、可動枠台は前記駆動ドラムの正逆回転により一対のロープで支持され、ガイド支柱に沿って水平に昇降することを特徴とする請求項１記載の介護用浴槽。
【請求項３】
可動枠台から固定枠台に座椅子の走行路が設けられると共に、座椅子の下部に走行路を移動する移動台が設けられていることを特徴とする請求項１又は２記載の介護用浴槽。
【請求項４】
移動台にスライダーが設けられ、スライダーはローラ形状に形成されると共に、走行路と直交して移動台の座椅子の下部の中央部位置に中央部スライダーと、移動台の座椅子の下部の両側位置に側部スライダーが互いに平行に配設され、中央部スライダーの下面は両側の側部スライダーの下面よりも下方位置となるように設けられ、座椅子が走行路を洗い場側に移動した時に、移動台の洗い場側の側部スライダーが係合することにより、座椅子が中央部スライダーを支点に浴槽側へ下方傾斜し、移動台の浴槽側の側部スライダーを走行路に圧接させて座椅子を停止させる突部が走行路の洗い場側の端部付近に設けられ、座椅子が走行路を浴槽側に移動した時に、移動台の浴槽側の側部スライダーが係合することにより、座椅子が中央部スライダーを支点に洗い場側へ下方傾斜し、移動台の洗い場側の側部スライダーを走行路に圧接させて座椅子を停止させる突部が走行路の浴槽側の端部付近に設けられていることを特徴とする請求項３記載の介護用浴槽。
【請求項５】
駆動ドラムは手回しハンドルの正逆回転で回転駆動する手動式、又は正逆回転可能なモーターで回転駆動する自動式であることを特徴とする請求項２から４のいずれかに記載の介護用浴槽。
【発明の詳細な説明】
【技術分野】
【０００１】
本発明は、介護を必要とする身体の不自由な病人等の入浴に、家庭内や病院内で使用する介護用浴槽に関するものである。
【背景技術】
【０００２】
寝たきりの老人や怪我、その他の原因で介護人を必要とする身体の不自由な病人の介護人が最も苦労するのは、病人を抱き抱えて浴槽に入れ、身体を洗った後に病人を抱き上げて浴槽から出さなければならない入浴させる時であり、介護人にとっては重労働である。  このため、一人で入浴させることは困難で、家庭内は勿論、病院や養護施設であっても複数の介護人によって入浴させているのである。
【０００３】
そこで、この問題点を解消するため、従来、入浴者を補助椅子に座らせたままで浴槽の上部から浴槽内部へ下降させると共に、浴槽より上昇させ入浴させる入浴介護装置が提案されている。
しかし、この装置は補助椅子を上方から吊り下げて、洗い場の上部と浴槽の上部とを往復移動すると共に、浴槽の上部から浴槽内へ下降させるものであって、装置が大掛かりで設備費も高くつくと共に、上方から吊り下げられていることにより、病人は恐怖心や不安感を抱き、精神的な負担が大きい問題点を有している。
【特許文献１】特開平８−９８８６７号
【発明の開示】
【発明が解決しようとする課題】
【０００４】
上記点より本発明は、身体の不自由な病人を入浴させる時に、介護人の労力の負担を軽減し、家庭、病院、養護施設等に設置された浴槽に、介護人が一人であっても容易に入浴させることができると共に、構成も簡単でかつ病人に恐怖心や不安感を抱かせることがなく、安心して入浴させることのできる介護用浴槽を提供しようとするものである。
【課題を解決するための手段】
【０００５】
上記課題を解決するため請求項１記載の本発明介護用浴槽は、浴槽に昇降駆動手段により昇降する可動枠台が設けられると共に、この可動枠台の洗い場側に可動枠台と連絡する固定枠台が設けられ、可動枠台と固定枠台間を座椅子が往復移動可能に設けられていることを特徴とするものである。
【０００６】
このような構成とすることにより、座椅子を洗い場側の固定枠台に移動して、介護人は病人を座椅子に座らせ、そのまま座椅子を固定枠台から浴槽側の可動枠台に移動し、可動枠台を昇降駆動手段により下降すれば、病人を抱き抱えることなく浴槽に入れることができる。
そして、身体を洗った後に可動枠台を上昇し、座椅子を可動枠台から固定枠台に移動すれば、病人を抱き抱えることなく浴槽から出すことができ、介護人の労力の負担を軽減でき、一人の介護人で病人を入浴させることが可能である。
【０００７】
次に、請求項２記載の本発明介護用浴槽は、請求項１記載の介護用浴槽において、昇降駆動手段は、可動枠台の四隅に挿通され、可動枠台が摺動自在に昇降する浴槽内に立設されたガイド支柱と、浴槽外に設けた駆動ドラムと、この駆動ドラムに並列し互いに反対方向に巻着された一対のロープと、可動枠台の一方の側部側で浴槽の上方に設置された上部ガイド車と、この上部ガイド車と同じ側で浴槽の下方に設置された下部ガイド車を備え、前記一方のロープの先端部は、上部ガイド車及び下部ガイド車から可動枠台の上面側に掛け渡されて可動枠台の他方の側部側で浴槽の下方に固定され、他方のロープの先端部は、上部ガイド車から可動枠台の下面側に掛け渡されて可動枠台の他方の側部側で浴槽の上方に固定され、可動枠台は前記駆動ドラムの正逆回転により一対のロープで支持され、ガイド支柱に沿って水平に昇降することを特徴とするものである。
【０００８】
このような構成とすることにより、簡単な構成でありながら、可動枠台は一対のロープで支持され、駆動ドラムを正逆回転させることにより、ガイド支柱に沿って水平に昇降する。
【０００９】
次に、請求項３記載の本発明介護用浴槽は、請求項１又は２記載の介護用浴槽において、可動枠台から固定枠台に座椅子の走行路が設けられると共に、座椅子の下部に走行路を移動する移動台が設けられていることを特徴とするものである。
【００１０】
このような構成とすることにより、座椅子は移動台により走行路上を移動し、可動枠台と固定枠台間を往復移動する。
【００１１】
次に、請求項４記載の本発明介護用浴槽は、請求項３記載の介護用浴槽において、移動台にスライダーが設けられ、スライダーはローラ形状に形成されると共に、走行路と直交して移動台の座椅子の下部の中央部位置に中央部スライダーと、移動台の座椅子の下部の両側位置に側部スライダーが互いに平行に配設され、中央部スライダーの下面は両側の側部スライダーの下面よりも下方位置となるように設けられ、座椅子が走行路を洗い場側に移動した時に、移動台の洗い場側の側部スライダーが係合することにより、座椅子が中央部スライダーを支点に浴槽側へ下方傾斜し、移動台の浴槽側の側部スライダーを走行路に圧接させて座椅子を停止させる突部が走行路の洗い場側の端部付近に設けられ、座椅子が走行路を浴槽側に移動した時に、移動台の浴槽側の側部スライダーが係合することにより、座椅子が中央部スライダーを支点に洗い場側へ下方傾斜し、移動台の洗い場側の側部スライダーを走行路に圧接させて座椅子を停止させる突部が走行路の浴槽側の端部付近に設けられていることを特徴とするものである。
【００１２】
このような構成とすることにより、座椅子が洗い場側に移動した時に、走行路の洗い場側の端部付近に設けた突部に、移動台の洗い場側の側部スライダーが係合し、座椅子が中央部スライダーを支点に浴槽側に下方傾斜し、移動台の浴槽側の側部スライダーが走行路に圧接して座椅子が停止するため、これがストッパーとなり、病人を座らせた状態で座椅子が浴槽側に自然に移動することが阻止される。
【００１３】
又、逆に座椅子が浴槽側に移動した時に、走行路の浴槽側の端部付近に設けた突部に、移動台の浴槽側の側部スライダーが係合し、座椅子が中央部スライダーを支点に洗い場側へ下方傾斜し、移動台の洗い場側の側部スライダーが走行路に圧接して座椅子が停止するため、これがストッパーとなり、病人を座らせた状態で座椅子が洗い場側に自然に移動することが阻止される。
【００１４】
次に、請求項５記載の本発明介護用浴槽は、請求項２から４のいずれかに記載の介護用浴槽において、駆動ドラムは手回しハンドルの正逆回転で回転駆動する手動式、又は正逆回転可能なモーターで回転駆動する自動式であることを特徴とするものである。
【００１５】
このような構成とすることにより、駆動ドラムの回転駆動は、手動式で手回しハンドルでもよく、或いは自動式で正逆回転可能なモーターでもよい。
【発明の効果】
【００１６】
本発明介護用浴槽によれば、介護人は病人を座椅子に座らせたまま浴槽に入れ、身体を洗い、その後座椅子を浴槽から上昇し、座椅子を洗い場側へ引き寄せればよく、病人を抱き抱えて浴槽に入れたり、浴槽から出すことがないので、介護人の労力は大幅に軽減でき、一人の介護人で病人を入浴させることが可能であるから、家庭、病院、養護施設等に好適な浴槽となる。
又、病人は座椅子に座ったまま可動枠台と固定枠台間を移動するだけで、座椅子を吊り下げたものに比べ、病人は恐怖心や不安感を抱くことがなく、気持ちよく入浴できる。
【００１７】
可動枠台は一対のロープで支持された状態で、ガイド支柱に沿って水平に昇降できるので、構成も簡単で設備費も安価で済むものである。
そして、病人を座らせ座椅子が停止している状態では、座椅子が側部スライダーがストッパーとなり、介護人が座椅子を動かさない限り移動することがないので安全である。
【発明を実施するための最良の形態】
【００１８】
以下、本発明の一実施の形態を図面に基づき説明する。
図１は本発明介護用浴槽の一実施の形態を示す平面図、図２は同上の可動枠台が上昇した状態を示す縦断正面図、図３は同上の可動枠台が下降した状態を示す縦断正面図、図４は同上の可動枠台が上昇した状態を示す縦断側面図、図５は同上の座椅子が洗い場側へ移動した状態を示す部分縦断正面図である。
【００１９】
本発明介護用浴槽は、浴槽１内に設置され、昇降手段により昇降する可動枠台２と、可動枠台２の洗い場３側に設けられ、可動枠台２と連絡する固定枠台４と、可動枠台２と固定枠台４間に設けた走行路を往復移動する座椅子５を備えている。
【００２０】
浴槽１は長方形状で、長手方向の一方の端部側の床面に可動枠台２の四隅に挿通されるガイド支柱６が立設されている。
可動枠台２は浴槽１の長手方向と交叉する方向に長い断面が四角形の角材から成る平行な前部材２ａ及び後部材２ｂと、前部材２ａと後部材２ｂの端部間に渡設した断面が円形の洗い場側寄りの側パイプ２ｃと、この側パイプ２ｃと反対側の浴槽側の側パイプ２ｄから構成され、前部材２ａ及び後部材２ｂ間に二枚の板状の連結材２ｅ、２ｅが渡設されている。
【００２１】
そして、この可動枠台２の前部材２ａ及び後部材２ｂの両端部にガイド支柱６が挿通されている。
又、ガイド支柱６が挿通される前部材２ａ及び後部材２ｂの箇所の下面に、ガイド支柱６が挿通するガイド筒２ｆがそれぞれ固着され、可動枠台２が水平に昇降するようになっている。
【００２２】
次に、固定枠台４は断面が四角形の角材から成り、洗い場３側から可動枠台２の前部材２ａの洗い場３側の端部付近の上部に延長する前部材４ａと、洗い場３側から可動枠台２の後部材２ｂの上部全長に亘って延長する後部材４ｂと、洗い場３側で前部材４ａと後部材４ｂの端部間に渡設した洗い場側の側部材４ｃと、浴槽１側で後部材４ｂの端部に連設し、可動枠台２の側パイプ２ｄの上部に延設された浴槽側の側部材４ｄから構成され、洗い場側の前部材４ａと後部材４ｂ間に連結材４ｅ、４ｅが渡設されている。
【００２３】
そして、洗い場側の前部材４ａと後部材４ｂの端部の下面に支柱７が設けられ、固定枠台４の洗い場３側はこの支柱７により支持されている。
又、固定枠台４の浴槽１側支持は、前部材４ａの端部付近と後部材４ｂの端部と後部材４ｂの略中央部付近と、側部材４ｄの前部側の端部付近の下面にガイド支柱６の上端部がそれぞれ固着され、この四本のガイド支柱６により支持されている。
【００２４】
次に、可動枠台２の昇降手段は、ガイド支柱６と洗い場３に設けた駆動ドラム８と、駆動ドラム８の巻胴に並列し互いに反対方向に巻着された一対のロープ９ａ、９ｂと、固定枠台４の浴槽側寄りの連結材４ｅの略中央部に固着され、浴槽１の上方で可動枠台２の側方に並設された一対の上部ガイド車１０ａ、１０ｂと、この上部ガイド車１０ａの下方で浴槽１の底部に上向きに固設された下部ガイド車１１から構成されている。
【００２５】
駆動ドラム８は、洗い場３で固定枠台４の浴槽寄りの下方で、前部材４ａと後部材４ｂの略中央部に設置した台１２上に固設され、正逆回転可能なモーター１３により回転駆動する。勿論、駆動はモーター１３に代え、手回しハンドルでもよい。
この駆動ドラム８に巻着された一対のロープ９ａ、９ｂの一方のロープ９ａの先端部は上部ガイド車１０ａ及び下部ガイド車１１に掛け渡され、可動枠台２の洗い場側寄りの側パイプ２ｃの上面から可動枠台２の上面及び反対側の側パイプ２ｄの上面を経て、先端部は浴槽１の底部に固定されている。
浴槽１の底部への固定は、浴槽１の底部に環体１４を固着し、これにロープ９ａの端部が止着され、ロープ９ａは緊張されている。
【００２６】
又、他方のロープ９ｂの先端部は、上部ガイド車１０ｂに掛け渡され、可動枠台２の洗い場側寄りの側パイプ２ｃの下面から可動枠台２の下面及び反対側の側パイプ２ｄの下面を経て、先端部は浴槽１の上方で固定枠台４の側部材４ｄ上の略中央部にブラケット１５で固着された環体１６に止着され、ロープ９ｂは緊張されている。これにより、可動枠台２し一対のロープ９ａ、９ｂで支持されている。
【００２７】
この構成により、可動枠台２の昇降は、可動枠台２が上昇している状態（図２）から下降させる時は、一方のロープ９ａを駆動ドラム８の巻胴に巻き付けられる方向に駆動ドラム８をモーター１３で回転駆動すれば、他方のロープ９ｂは同時に繰り出され、可動枠台２は両ロープ９ａ、９ｂで支持された状態で自重で下降する（図３）。
又、可動枠台２を上昇させる時は、モーター１３を逆回転し、ロープ９ｂを巻き、固定枠台４を上昇させる。この時、ロープ９ａは駆動ドラム８から繰り出される。
【００２８】
次に、座椅子５が往復移動する走行路は、可動枠台２に洗い場３側に向けて二本のレール１７、１７が平行に連結材２ｅ、２ｅ上に固着されている。
又、固定枠台４に可動枠台２の上昇時に、レール１７、１７と連続する二本のレール１８、１８が平行に連結材４ｅ、４ｅ上に固着されている。
この可動枠台２側のレール１７、１７と固定枠台４側のレール１８、１８により、走行路が形成されている。
そして、この走行路の両端部でレール１７、１７の端部に接続して連結材２ｅ上に突部１９、１９と、レール１８、１８の端部に接続して連結材４ｅ上に突部２０、２０がそれぞれ固着されている。
突部１９、１９及び突部２０、２０は、レール１７、１７側及びレール１８、１８側に向けて下方傾斜した傾斜部１９ａ、１９ａ及び傾斜部２０ａ、２０ａが形成され、上面は水平部１９ｂ、１９ｂ及び水平部２０ｂ、２０ｂが形成されている。
又、走行路沿いに固定枠台４の後部材４ｂから固定枠台４の浴槽側の側部材４ｄ上に手摺り兼用棚２１が設置されている。
【００２９】
次に、座椅子５は背もたれ５ａと座板５ｂと、浴槽側に設けた肘掛け５ｃから構成され、座板５ｂの下面に移動台２２が固着され、この移動台２２により走行路上を往復移動する。又、座椅子５は走行路を横向きに移動するように設置されている。
【００３０】
移動台２２は、座板５ｂの下面に固着された平板部２２ａと、この平板部２２ａの座椅子５の前部側及び後部側の端縁に沿って垂設された壁面部２２ｂ、２２ｂと、両壁面部２２ｂ、２２ｂ間にレール１７、１８と直交して互いに平行に渡設され、レール１７、１７及びレール１８、１８上を摺動するローラ形状の三本のスライダー２３から構成されている。
【００３１】
三本のスライダー２３は、座板５ｂの中央部に中央部スライダー２３ａが配設されると共に、その両側に洗い場側の側部スライダー２３ｂと浴槽側の側部スライダー２３ｃが配設されている。そして、中央部スライダー２３ａの下面は、両側の側部スライダー２３ｂ、２３ｃの下面よりも下方位置となるように配設されている。
図面では、中央部スライダー２３ａは側部スライダー２３ｂ、２３ｃよりも大径のスライダーとなっている。
【００３２】
このような構成により、座椅子５が走行路を洗い場３側に移動した時は、移動台２２の洗い場側の側部スライダー２３ｂが走行路の突部２０の傾斜部２０ａから水平部２０ｂ上に摺動すると、座椅子５は中央部スライダー２３ａを支点に浴槽１側に下方傾斜し、移動台２２の浴槽側の側部スライダー２３ｃがレール１８上に圧接して座椅子５を停止させる。この時、移動台２２の平板部２２ａの側端部は固定枠台４の洗い場側の側部材４ｃに接触するようになっている。
又、座椅子５が走行路を浴槽１側に移動した時は、移動台２２の浴槽側の側部スライダー２３ｃが走行路の突部１９の傾斜部１９ａから水平部１９ｂ上に摺動すると、座椅子５は中央部スライダー１９ａを支点に洗い場３側に下方傾斜し、移動台２２の洗い場側の側部スライダー２３ｂがレール１７上に圧接して座椅子５を停止させる。この時、移動台２２の平板部２２ａの側端部は固定枠台４の浴槽側の側部材４ｄに接触するようになっている。
【００３３】
次に、本発明介護用浴槽の使用方法を図面に基づき説明する。
介護人は可動枠台２を上昇させておき、座椅子５を固定枠台４上に停止させ、座椅子５上に病人を座らせる。この時、座椅子５は移動台２２の洗い場側の側部スライダー２３ｂが突部２０上に乗り上げ、座椅子５が浴槽１側に下方傾斜し、浴槽側の側部スライダー２３ｃがレール１８上を圧接しているので、この側部スライダー２３ｃがストッパーとなり、病人を座らせる時に座椅子５が浴槽１側へ移動することが阻止され、安全である。
又、座椅子５は肘掛け５ｃを浴槽１側にのみ設け、洗い場３側にはないので病人を座らせたり、降ろしたりする作業がし易い。
【００３４】
次に、介護人は病人を座らせた座椅子５を押して可動枠台２上に移動する。この時、座椅子５は移動台２２の浴槽側の側部スライダー２３ｃが突部１９上に乗り上げ、座椅子５が洗い場３側へ下方傾斜し、洗い場側の側部スライダー２３ｂがレール１７上を圧接しているので、この側部スライダー２３ｂがストッパーとなり、洗い場３側へ座椅子５が移動することが阻止され、安全である。
【００３５】
そして、介護人は可動枠台２が下降する方向へ駆動ドラム８が回転駆動するようモーター１３のスイッチ（図示せず）を入れ、可動枠台２を下降し、病人を浴槽１内に入れる。  介護人は浴槽１内で病人の身体を洗った後、今度はモーター１３を逆回転させて可動枠台２を上昇し、病人を浴槽１から上げ、介護人は座椅子５を可動枠台２上から固定枠台４上へ引き寄せて移動し、座椅子５から病人を下ろす。
【００３６】
以上、本発明を実施の形態に基づき具体的に説明したが、本発明は上記実施形態に限定されるものではなく、走行路はレールに代えて床面でもよく、又突部も走行路の両端部の中央部に一個ずつ設けてもよく、移動台、可動枠台、固定枠台の構成も上記構成に限定されない。
【図面の簡単な説明】
【００３７】
【図１】本発明介護用浴槽の一実施の形態を示す平面図である。
【図２】本発明介護用浴槽の一実施の形態を示す縦断正面図である。
【図３】本発明介護用浴槽の一実施の形態を示す縦断正面図である。
【図４】本発明介護用浴槽の一実施の形態を示す縦断側面図である。
【図５】本発明介護用浴槽の一実施の形態を示す部分縦断正面図である。
【符号の説明】
【００３８】
１  浴槽
２  可動枠台
３  洗い場
４  固定枠台
５  座椅子
６  ガイド支柱
８  駆動ドラム
９ａ、９ｂ  ロープ
１０ａ、１０ｂ  上部ガイド車
１１  下部ガイド車
１７、１８  レール
１９、２０  突部
２２  移動台
２３ａ  中央部スライダー
２３ｂ、２３ｃ  側部スライダー
【図１】
2005143889.tif 000003
【図２】
2005143889.tif 000004
【図３】
2005143889.tif 000005
【図４】
2005143889.tif 000006
【図５】
2005143889.tif 000007